(57)【特許請求の範囲】
【請求項１】
第１の面（４ａ）と、該第１の面（４ａ）の裏側の第２の面（４ｂ）と、を有するカード台紙（１）であって、
折曲げ部（４０）を挟んで第１の部分（１ａ）と第２の部分（１ｂ）とを有し、
前記第１の部分（１ａ）は、前記第１の面（４ａ）から抜き取り可能なカード本体（１０）と、該カード本体（１０）を囲み、前記第１の面（４ａ）から抜き取り可能な枠部（１２）と、前記第２の面（４ｂ）に接着され、該カード本体(１０)と一体で抜き取り可能な第１フィルム（２２）を含む第１ラミネート部（２０）と、を有し、
前記第２の部分（１ｂ）は、前記第１の面（４ａ）から抜き取り可能な剥離部（１４）と、前記第２の面（４ｂ）に接着される第２ラミネート部（３０）と、を有し、
第２ラミネート部（３０）は、第２フィルム（３４）と、該第２フィルム（３４）を前記カード本体（１０）の第１の面（４ａ）に接着するための接着層（３３）と、を有し、
前記接着層（３３）は、前記剥離部（１４）を前記第２の部分（１ｂ）から抜き取ることで露出する位置に形成され、
前記剥離部（１４）は、前記折曲げ部（４０）で前記第１の面（４ａ）を内側にして前記カード台紙（１）を折り曲げたときに前記カード本体（１０）と重なる領域に形成されることを特徴とする、カード台紙。
【請求項２】
請求項１において、
前記第１ラミネート部（２０）は、前記第２の面（４ｂ）に接着する第１接着層（２１）と、該第１接着層（２１）を介して前記第２の面（４ｂ）に接着する前記第１フィルム（２２）と、第１擬似接着層（２３）を介して前記第１フィルム（２２）と接着する第１表面基材（２４）と、を積層して有し、
前記第１の部分（１ａ）は、前記カード本体（１０）の外周縁に沿って前記第１の面（４ａ）から前記第１フィルム（２２）まで切断する第１切れ目（３ａ）と、前記枠部（１２）の外周縁に沿って前記第１の面（４ａ）から前記第１フィルム（２２）まで切断する第２切れ目（３ｂ）と、が形成され、
前記枠部（１２）及び前記カード本体（１０）は、第１接着層（２１）及び第１フィルム（２２）と一体で前記第１の部分（１ａ）から抜き取り可能に形成されることを特徴と
する、カード台紙。
【請求項３】
請求項１または２において、
前記第２ラミネート部（３０）は、前記第２の面（４ｂ）に接着する第２接着層（３１）と、該第２接着層（３１）を介して前記第２の面（４ｂ）に接着する剥離層（３２）と、該剥離層（３２）に接着する前記接着層（３３）と、前記接着層（３３）を介して該剥離層（３２）に接着する前記第２フィルム（３４）と、前記第２フィルム（３４）に接着する第２擬似接着層（３５）と、該第２擬似接着層（３５）を介して前記第２フィルム（３４）に接着する第２表面基材（３６）と、を積層して有し、
前記第２の部分（１ｂ）は、前記剥離部（１４）の外周縁に沿って前記第１の面（４ａ）から前記第２フィルム（３４）まで切断する第３切れ目（３ｃ）が形成され、
前記剥離部（１４）は、前記第２接着層（３１）及び前記剥離層（３２）と一体で前記第２の部分（１ｂ）から抜き取り可能に形成されることを特徴とする、カード台紙。
【請求項４】
請求項１〜３のいずれか１項において、
前記剥離部（１４）を前記第１の部分（１ａ）から抜き取ることで前記第２の部分（１ｂ）に形成される凹部（３７）は、前記カード本体（１０）を受け入れることができる大きさを有することを特徴とする、カード台紙。
【発明の詳細な説明】
【技術分野】
【０００１】
本発明は、カード台紙に関する。
【背景技術】
【０００２】
近年、各種会員証や健康保険証などのカードと送り先などが印刷されたカード台紙が普及している。特に最近では、カード台紙から抜き出されたカード本体の両面にプラスチックフィルムによるラミネート加工を施すものが提案されている（例えば、特許文献１参照）。
【０００３】
このようなカード台紙は、郵便封筒に同封して利用者に提供される。利用者は、カード台紙に接着されたカード本体を切れ目に沿って抜き出し、カード本体を裏返してカード台紙に擬似接着されたプラスチックフィルムをカード本体の表面に貼りつけ、予めプラスチックフィルムを有する裏面とで両面ラミネート加工されたカードを作成ことができる。
【０００４】
このようなカード台紙によれば、ラミネート加工されていない表面に送り先やカードの会員番号や氏名などを印刷することができるため、生産性に優れ、利用者が使用開始時に両面ラミネート加工することで強度が高く、取り扱いやすいカードを得ることができる。
【０００５】
しかしながら、このようなカード台紙によれば、利用者がカード本体を抜き取った穴に粘着剤を表面に有するプラスチックフィルムが配置されるため、裏返したカード本体を正確にその穴の中へ嵌めないとプラスチックフィルムがずれて貼り付けられることがある。
【先行技術文献】
【特許文献】
【０００６】
【特許文献１】実用新案登録第３０５８９９６号公報
【発明の概要】
【発明が解決しようとする課題】
【０００７】
そこで、本発明は、利用者が容易かつ正確にカード本体にフィルムを貼り付けることができるカード台紙を提供することを目的とする。
【課題を解決するための手段】
【０００８】
本発明は上述の課題の少なくとも一部を解決するためになされたものであり、以下の態様または適用例として実現することができる。
【０００９】
本発明にかかるカード台紙（１）の一態様は、
第１の面（４ａ）と、該第１の面（４ａ）の裏側の第２の面（４ｂ）と、を有するカード台紙（１）であって、
折曲げ部（４０）を挟んで第１の部分（１ａ）と第２の部分（１ｂ）とを有し、
前記第１の部分（１ａ）は、前記第１の面（４ａ）から抜き取り可能なカード本体（１０）と、該カード本体（１０）を囲み、前記第１の面（４ａ）から抜き取り可能な枠部（１２）と、前記第２の面（４ｂ）に接着され、該カード本体(１０)と一体で抜き取り可能な第１フィルム（２２）を含む第１ラミネート部（２０）と、を有し、
前記第２の部分（１ｂ）は、前記第１の面（４ａ）から抜き取り可能な剥離部（１４）と、前記第２の面（４ｂ）に接着される第２ラミネート部（３０）と、を有し、
第２ラミネート部（３０）は、第２フィルム（３４）と、該第２フィルム（３４）を前
記カード本体（１０）の第１の面（４ａ）に接着するための接着層（３３）と、を有し、
前記接着層（３３）は、前記剥離部（１４）を前記第２の部分（１ｂ）から抜き取ることで露出する位置に形成され、
前記剥離部（１４）は、前記折曲げ部（４０）で前記第１の面（４ａ）を内側にして前記カード台紙（１）を折り曲げたときに前記カード本体（１０）と重なる領域に形成されることを特徴とする。
【００１０】
本発明にかかるカード台紙（１）の一態様において、
前記第１ラミネート部（２０）は、前記第２の面（４ｂ）に接着する第１接着層（２１）と、該第１接着層（２１）を介して前記第２の面（４ｂ）に接着する前記第１フィルム（２２）と、第１擬似接着層（２３）を介して前記第１フィルム（２２）と接着する第１表面基材（２４）と、を積層して有し、
前記第１の部分（１ａ）は、前記カード本体（１０）の外周縁に沿って前記第１の面（４ａ）から前記第１フィルム（２２）まで切断する第１切れ目（３ａ）と、前記枠部（１２）の外周縁に沿って前記第１の面（４ａ）から前記第１フィルム（２２）まで切断する第２切れ目（３ｂ）と、が形成され、
前記枠部（１２）及び前記カード本体（１０）は、第１接着層（２１）及び第１フィルム（２２）と一体で前記第１の部分（１ａ）から抜き取り可能に形成されることができる。
【００１１】
本発明にかかるカード台紙（１）の一態様において、
前記第２ラミネート部（３０）は、前記第２の面（４ｂ）に接着する第２接着層（３１）と、該第２接着層（３１）を介して前記第２の面（４ｂ）に接着する剥離層（３２）と、該剥離層（３２）に接着する前記接着層（３３）と、前記接着層（３３）を介して該剥離層（３２）に接着する前記第２フィルム（３４）と、前記第２フィルム（３４）に接着する第２擬似接着層（３５）と、該第２擬似接着層（３５）を介して前記第２フィルム（３４）に接着する第２表面基材（３６）と、を積層して有し、
前記第２の部分（１ｂ）は、前記剥離部（１４）の外周縁に沿って前記第１の面（４ａ）から前記第２フィルム（３４）まで切断する第３切れ目（３ｃ）が形成され、
前記剥離部（１４）は、前記第２接着層（３１）及び前記剥離層（３２）と一体で前記第２の部分（１ｂ）から抜き取り可能に形成されることを特徴とする。
【００１２】
本発明にかかるカード台紙（１）の一態様において、
前記剥離部（１４）を前記第１の部分（１ａ）から抜き取ることで前記第２の部分（１ｂ）に形成される凹部（３７）は、前記カード本体（１０）を受け入れることができる大きさを有することを特徴とすることができる。
【発明の効果】
【００１４】
本発明にかかるカード台紙（１）によれば、利用者が剥離部（１４）を抜き取り、折曲げ部（４０）でカード台紙（１）を折り曲げることで、容易かつ正確にカード本体（１０）に第２フィルム（３４）を貼り付けることができる。そして、本発明にかかるカード台紙（１）によれば、第１フィルム（２２）と第２フィルム（３４）とが正確に位置合わせされて両面ラミネート加工されたカード（５）を得ることができる。
【図面の簡単な説明】
【００１６】
【図１】第１の実施の形態に係るカード台紙の正面図である。
【図２】第１の実施の形態に係るカード台紙の背面図である。
【図３】第１の実施の形態に係るカード台紙の図２におけるＡ−Ａ断面図である。
【図４】第１の実施の形態に係るカードの作成方法を説明するＡ−Ａ断面図である。
【図５】第１の実施の形態に係るカードの作成方法を説明するＡ−Ａ断面図である。
【図６】第１の実施の形態に係るカードの作成方法を説明するＡ−Ａ断面図である。
【図７】第１の実施の形態に係るカードの作成方法を説明するＡ−Ａ断面図である。
【図８】第２の実施の形態に係るカード台紙の正面図である。
【図９】折曲げ部の変形例を説明するための断面図である。
【発明を実施するための形態】
【００１７】
以下、本発明の実施の形態について図面を参照しながら詳細に説明する。
【００１８】
本発明の一実施の形態にかかるカード台紙１は、第１の面４ａと、該第１の面４ａの裏側の第２の面４ｂと、を有するカード台紙１であって、折曲げ部４０を挟んで第１の部分１ａと第２の部分１ｂとを有し、前記第１の部分１ａは、前記第１の面４ａから抜き取り可能なカード本体１０と、該カード本体１０を囲み、前記第１の面４ａから抜き取り可能な枠部１２と、前記第２の面４ｂに接着され、該カード本体１０と一体で抜き取り可能な第１フィルム２２を含む第１ラミネート部２０と、を有し、前記第２の部分１ｂは、前記第１の面４ａから抜き取り可能な剥離部１４と、前記第２の面４ｂに接着される第２ラミネート部３０と、を有し、第２ラミネート部３０は、第２フィルム３４と、該第２フィルム３４を前記カード本体１０の前記第１の面４ａに接着するための第３接着層３３と、を有し、前記第３接着層３３は、前記剥離部１４を前記第２の部分１ｂから抜き取ることで露出する位置に形成され、前記剥離部１４は、前記折曲げ部４０で前記第１の面４ａを内側にして前記カード台紙１を折り曲げたときに前記カード本体１０に接する領域に形成されることを特徴とする。
【００１９】
本発明の一実施の形態にかかるカード５は、前記カード台紙から抜き取って得られることを特徴とする。
【００２０】
１．第１の実施の形態
１−１．カード台紙
図１〜図３を用いてカード台紙１について説明する。図１は、第１の実施の形態に係るカード台紙１の正面図である。図２は、第１の実施の形態に係るカード台紙１の背面図である。図３は、第１の実施の形態に係るカード台紙１の図２におけるＡ−Ａ断面図である。
【００２１】
図１及び図２に示すように、カード台紙１は、第１の面４ａと、該第１の面４ａの裏側の第２の面４ｂと、を有する。カード台紙１は、折曲げ部４０を挟んで第１の部分１ａと第２の部分１ｂとを有する。
【００２２】
カード台紙１は、図の上下方向に連続するいわゆる連続帳票用紙の一部とすることができる。カード台紙１は、１つの宛名に送付するために上下２本のミシン目４３，４３に沿って裁断することができる。裁断されたカード台紙１は封筒に入れられて利用者へ郵送することができる。連続帳票用紙として用いるために、カード台紙１の両端には送り孔４４が多数形成されている。送り孔４４の部分はミシン目４２，４２によってカード台紙１から容易に取り除くことができる。
【００２３】
図１に示すように、第１の部分１ａの左上には宛名表示欄２を設けることができる。第
１の部分１ａの中央には「サクリ紙」と印刷された剥離部１４を設けることができる。剥離部１４は、当業者の間では「サクリ紙」と呼ばれる。「サクリ紙」は、Ｓａｃｒｉｆｉｃｅ  Ｐａｐｅｒ（「捨て紙」の意味）を省略したものであり、利用者に剥離部１４を剥がして使用することを説明する印字である。第１の部分１ａの右側には「健康保険被保険者証」と印刷されたカード本体１０を設けることができる。なお、これらの印字は例示であり、カードの用途によって適宜印刷することができる。
【００２４】
剥離部１４とカード本体１０との間には上下方向に延びてカード台紙１の両端部にあるミシン目４３，４３まで達する折曲げ部４０がある。折曲げ部４０は、カード台紙１を折り曲げるためにミシン目で形成することができる。ミシン目は、カード台紙１を貫通する小さな孔を点線あるいは破線状に連続して設けたものである。折曲げ部４０は、折曲げ部４０でカード台紙１を谷折にして、第１の部分１ａと第２の部分１ｂとを第１の面４ａを内側に折り曲げやすくするためのものであり、利用者が折り曲げ部４０に沿って確実に折り曲げるためのものである。また、折曲げ部４０はミシン目以外の公知の構造を用いることができ、例えば筋押しについては変形例として後述する。折曲げ部４０で折り曲げた状態で封筒に入れて郵送してもよい。そのようにすることで、予め折曲げ部４０で折り癖をつけることができ、利用者が容易に折り曲げることができる。折曲げ部４０はカード本体１０と剥離部１４とのちょうど中間に位置し、折曲げ部４０でカード台紙１を折り曲げたときに、カード本体１０と剥離部１４とが確実に対面する。
【００２５】
第１の部分１ａは、第１の面４ａから抜き取り可能なカード本体１０と、カード本体１０を囲み、第１の面４ａから抜き取り可能な枠部１２と、第１の面４ａの裏面（第２の面４ｂであり、図１を参照）に接着された第１ラミネート部２０を有する。カード本体１０及び枠部１２は、第１の部分１ａの第１の面４ａから第１ラミネート部２０内まで延びる第１切れ目３ａと第２切れ目３ｂによってその外形を規定されている。カード本体１０の外周縁及び枠部１２の内周縁は第１切れ目３ａによって定められ、枠部１２の外周縁は、第２切れ目３ｂによって定められる。図１では第１ラミネート部２０の配置と大きさがわかるように破線で枠部１２より大きな長方形で示した。第１ラミネート部２０の詳細については、後述する。
【００２６】
第２の部分１ｂは、第１の面４ａから抜き取り可能な剥離部１４と、第２の面４ｂに接着される第２ラミネート部３０と、を有する。剥離部１４は、第２の部分１ｂの第１の面４ａから第２ラミネート部３０内まで延びる第３切れ目３ｃによってその外周縁を定められる。図１では第２ラミネート部３０の配置と大きさがわかるように破線で剥離部１４より大きな長方形で示した。第２ラミネート部３０の詳細については、後述する。
【００２７】
カード本体１０と剥離部１４とは、同じ大きさに形成されるかまたは剥離部１４の方がカード本体１０よりもわずかに大きく形成される。そのため、剥離部１４を第１の部分１ａから抜き取ることで第２の部分１ｂに形成される凹部３７がカード本体１０を受け入れることができる大きさを有することができる。
【００２８】
カード本体１０と折曲げ部４０との間隔Ｌは、剥離部１４と折曲げ部４０との間隔Ｌと同じである。そして、剥離部１４は、折曲げ部４０で第１の面４ａを内側にしてカード台紙１を折り曲げたときにカード本体１０と重なる領域に形成される。
【００２９】
カード本体１０は、角を面取りした長方形の一般的な形状である。
【００３０】
枠部１２は、カード本体１０の外周縁に沿って形成される長方形の枠であり、枠部１２の外周縁は４つの角部から外方へ突出して延びる耳部を有する。この耳部は、カード台紙１から抜き取るときに爪を掛けやすく、比較的幅の狭い枠部１２でありながら容易にカー
ド台紙１から抜き取ることができる。
【００３１】
図２に示すように、カード台紙１の裏面である第２の面４ｂには前述した所定位置に第１ラミネート部２０及び第２ラミネート部３０が貼られ、宛名表示部の裏側に当たる右側の空きスペースには例えばこのカード台紙１の使用方法を印刷することができる。
【００３２】
図３に示すように、カード台紙１の第２の面４ｂには第１の部分１ａ側に第１ラミネート部２０が第１接着層２１によって接着され、第２の部分１ｂ側に第２ラミネート部３０が第２接着層３１によって接着される。第１ラミネート部２０は、少なくともカード本体１０と一体で抜き取り可能な第１フィルム２２を含む。第２ラミネート部３０は、少なくとも第２フィルム３４と、第２フィルム３４をカード本体１０の第１の面４ａに接着するための第３接着層３３と、を有し、第３接着層３３は、剥離部１４を第２の部分１ｂから抜き取ることで露出する位置に形成される。
【００３３】
１−２．第１ラミネート部
図３を用いて、第１ラミネート部２０の構成についてさらに具体的に説明する。
【００３４】
カード台紙１は、図の左側にある第１の部分１ａの第２の面４ｂに、第１ラミネート部２０が接着される。第１ラミネート部２０は、図３の下側へ向かって順に、第２の面４ｂに接着する第１接着層２１と、第１接着層２１を介して第２の面４ｂに接着する第１フィルム２２と、第１擬似接着層２３を介して第１フィルム２２と接着する第１表面基材２４と、を積層して有する。
【００３５】
カード台紙１は、各種カードを両面ラミネート加工する基材となるものであり、カードの用途に応じて所定の強度等を有するものを採用することができる。カード台紙１は、例えば、紙類、フィルム類等が適宜使用できる。
【００３６】
第１接着層２１は、第１ラミネート部２０を第２の面４ｂに貼り付けるためのものであると共に、カード本体１０の一方の面に第１フィルム２２を確実に接着するためのものである。第１接着層２１は、公知の接着剤や粘着剤等を用いることができる。接着剤としては、例えば、天然ゴム系、合成ゴム系、アクリル系、酢酸ビニル系、シアノアクリレート系、シリコーン系、ウレタン系の各種接着剤を挙げることができる。粘着剤としては、例えば、ゴム系、アクリル系、ビニルエーテル系等の各種粘着剤を挙げることができる。
【００３７】
第１フィルム２２は、カード本体１０の一方の面をラミネート加工するものである。カードの用途に応じて透明フィルム、片面マット加工フィルム等のプラスチックフィルムを第１フィルム２２として適宜採用することができる。マット加工したフィルムは、ボールペンなどによる筆記が可能になる点で有利である。第１フィルム２２としては、例えば、ＰＥＴフィルムなどのポリエステル製フィルムや延伸ポリプロピレンフィルム等を採用することができる。第１フィルム２２は、第１疑似接着層２３がポリエチレン層からなるときはポリエステル製フィルムを用いることができ、あるいは、第１疑似接着層２３側にポリエステル製フィルムがラミネートされたプラスチックフィルムを用いることができる。ここでは、第１フィルム２２としてポリエステル製フィルムを用いた例について説明する。
【００３８】
第１擬似接着層２３は、利用者がカード本体１０等をカード台紙１から抜き取る際に、第１表面基材２４から第１フィルム２２を容易に剥離させるためのものである。第１擬似接着層２３は、少なくとも第１接着層２１と第１フィルム２２との間の接着強さよりも小さな接着強さで第１フィルム２２と接着し、第１フィルム２２との接着強さよりも大きな接着強さで第１表面基材２４と接着している。そのため、カード本体１０をカード台紙１
から抜き取る際に、カード本体１０と第１フィルム２２が一体になって第１擬似接着層２３から剥がし取ることができる。第１擬似接着層２３は、第１フィルム２２の種類に応じて適宜選択することができ、例えば、第１フィルム２２がポリエステル製フィルムである場合には、薄いポリエチレン膜を第１表面基材２４上に押出ラミネートで積層したものを用いることができる。
【００３９】
第１表面基材２４は、第１フィルム２２等を積層する基材となるものであり、例えば、紙類、フィルム類等が適宜使用できる。ここでは、第１表面基材２４として上質紙を用いている。
【００４０】
カード本体１０及び枠部１２を第１の部分１ａから抜き取るために、第１の部分１ａ及び第１ラミネート部２０は、カード本体１０の外周縁に沿って第１の面４ａから第１フィルム２２まで切断する第１切れ目３ａと、枠部１２の外周縁に沿って第１の面４ａから第１フィルム２２まで切断する第２切れ目３ｂと、が形成されることができる。
【００４１】
そして、このように構成することによって、カード台紙１からカード本体１０を抜き取るときに、カード本体１０が第１切れ目３aの内側の第１接着層２１及び第１フィルム２２と一体で第１の部分１ａから抜き取り可能となる。また、枠部１２は、第１切れ目３ａと第２切れ目３ｂとの間の第１接着層２１及び第１フィルム２２と一体で第１の部分１ａから抜き取り可能となる。
【００４２】
１−３．第２ラミネート部
引き続き図３を用いて、第２ラミネート部３０の構成についてさらに具体的に説明する。
【００４３】
カード台紙１は、図の中央にある第２の部分１ｂの第２の面４ｂに、第２ラミネート部３０が接着される。第２ラミネート部３０は、図３の下側へ向かって順に、第２の面４ｂに接着する第２接着層３１と、第２接着層３１を介して第２の面４ｂに接着する剥離層３２と、剥離層３２に接着する第３接着層３３と、第３接着層３３を介して剥離層３２に接着する第２フィルム３４と、第２フィルム３４に接着する第２擬似接着層３５と、第２擬似接着層３５を介して第２フィルム３４に接着する第２表面基材３６と、を積層して有する。
【００４４】
第２接着層３１は、第２ラミネート部３０を第２の面４ｂに貼り付けるためのものであると共に、剥離部１４の第２の面４ｂに剥離層３２を確実に接着するためのものである。第２接着層３１は、公知の接着剤や粘着剤等を用いることができる。接着剤及び粘着剤については第１接着層２１と同様であるので説明を省略する。
【００４５】
剥離層３２は、剥離部１４をカード台紙１から抜き取ることで第１の面４ａ側に第３接着層３３が露出するように、第３接着層３３との界面において容易に剥離することができる。すなわち、剥離層３２は、第２接着層３１との接着強さよりも第３接着層３３との接着強さが小さい。剥離層３２としては、公知の剥離シートを使用することができる。剥離層３２は、例えばポリエステル製フィルム等のプラスチックフィルムの片面にシリコーン樹脂等の剥離剤を塗布したものを採用することができる。
【００４６】
第３接着層３３は、第２フィルム３４をカード本体１０の第１の面４ａに接着するためのものである。第３接着層３３は、剥離部１４を第２の部分１ｂから抜き取ることで露出する位置に形成される。第３接着層３３は、公知の粘着剤を用いることができる。粘着剤については第１接着層２１の説明で例示したものを用いることができる。第３接着層３３は、剥離層３２から比較的はがれやすいものであり、利用者によってカード本体１０に再
接着されるものであるため、粘着剤が望ましい。
【００４７】
第２フィルム３４は、カード本体１０の第１の面４ａに接着してラミネート加工するものである。カードの用途に応じて透明フィルム、片面マット加工フィルム等のプラスチックフィルムを第２フィルム３４として適宜採用することができる。第２フィルム３４としては、第１フィルム２２で説明したものを採用することができるので、説明を省略する。ここでは、第２フィルム３４としてポリエステル製フィルムを用いた例について説明する。
【００４８】
第２擬似接着層３５は、第２表面基材３６から第２フィルム３４を容易に剥離させるためのものである。第２擬似接着層３５は、少なくとも第３接着層３３と第２フィルム３４との間の接着強さよりも小さな接着強さで第２フィルム３４と接着し、第２フィルム３４との接着強さよりも大きな接着強さで第２表面基材３６と接着している。そのため、カード本体１０の第１の面４ａが第３接着層３３に接着し、カード本体１０と第２フィルム３４を第２ラミネート部３０内から抜き取る際に、カード本体１０と第２フィルム３４とが一体になって第２擬似接着層３５から剥ぎとることができる。第２擬似接着層３５は、第２フィルム３４の種類に応じて適宜選択することができ、例えば、薄いポリエチレン膜を第２表面基材３６上に押出ラミネートで積層することができる。
【００４９】
第２表面基材３６は、第２フィルム３４等を積層する基材となるものであり、例えば、紙類、フィルム類等が適宜使用できる。ここでは、第２表面基材３６として上質紙を用いている。
【００５０】
剥離部１４をカード台紙１から抜き取るために、第２の部分１ｂは、剥離部１４の外周縁に沿って第１の面４ａから第２フィルム３４まで切断する第３切れ目３ｃが形成される。剥離部１４は、第３切れ目３ｃに沿って上方へめくり上げると、第２接着層３１及び剥離層３２と一体で第２の部分１ｂから抜き取ることができる。
【００５１】
２．カードの作成方法
図４〜図７を用いて、カードの作成方法を説明する。図４〜図７は、第１の実施の形態に係るカードの作成方法を説明するＡ−Ａ断面図である。
【００５２】
まず、図４は、図３のカード台紙１から枠部１２と剥離部１４とを抜き取った状態を示している。枠部１２を抜き出すと、第１フィルム２２と第１擬似接着層２３との接着強さが小さいためその界面で剥がれ、枠部１２と共にその枠部１２の幅で第１接着層２１及び第１フィルム２２が抜き取れる。また、剥離部１４を抜き出すと、剥離層３２と第３接着層３３との間の接着強さが小さいためその界面で剥がれ、剥離部１４と共にその剥離部１４の幅で第２接着層３１及び剥離層３２が抜き取れる。
【００５３】
剥離部１４をカード台紙１から抜き取った後には、第２の部分１ｂの第１の面４ａには凹部３７が形成され、その凹部３７の底面に第３接着層３３が露出する。
【００５４】
次に、図５に示すように、折曲げ部４０のミシン目に倣って第１の面４ａを内側にカード台紙１を折り曲げる。
【００５５】
図６に示すように、折曲げ部４０でカード台紙１を完全に折り曲げて重ねると、折曲げ部４０と剥離部１４の間の距離Ｌと折曲げ部４０とカード本体１０との間の距離Ｌは同じ（図３を参照）なので、剥離部１４が取り除かれて形成された凹部３７にカード本体１０が確実にはまり込む。したがって、カード本体１０の第１の面４ａを、その凹部３７に露出していた第３接着層３３に押し付けることができる。
【００５６】
このとき、第１の部分１ａからは枠部１２が取り除かれているため、カード本体１０がその凹部３７の奥まで入り込み易く、カード本体１０を第３接着層３３に確実に押し付けることができる。特に、カード本体１０の外周縁付近まで第３接着層３３に確実に押し付けることができるため、カード本体１０の外周縁、特にその四隅から第２フィルム３４がエッジリフトすることを防止できる。なお、図３〜図７では説明のため、各層の厚さを厚く表現している。
【００５７】
また、利用者が指先で第１表面基材２４側からカード本体１０の外周縁付近を押すと、第１の部分１ａから枠部１２が取り除かれているため、利用者が指先でカード本体１０の外周縁を認識しやすく、確実にカード本体１０の外周縁を押し付けていることを確認できる。
【００５８】
最後に、図７に示すように、カード台紙１からカード本体１０を抜き取ると、カード本体１０の第１の面４ａ側に第２フィルム３４が接着して、第２の面４ｂ側の第１フィルム２２と合わせて両面ラミネートされたカード５を作成することができる。
【００５９】
このように、利用者が剥離部１４を抜き取り、折曲げ部４０でカード台紙１を折り曲げることで、容易かつ正確にカード本体１０に第２フィルム３４を貼り付けることができる。そして、このようなカード台紙１によれば、第１フィルム２２と第２フィルム３４とが正確に位置合わせされて両面ラミネート加工されたカード５を容易に得ることができる。
【００６０】
３．第２の実施の形態
図８を用いて、第２の実施の形態に係るカード台紙１００について説明する。図８は、第２の実施の形態に係るカード台紙１００の正面図である。第１の実施の形態のカード台紙１と同じ機能を有する部材には同じ符号及び同じ名称を用いて説明し、重複する説明については省略する。
【００６１】
図８に示すように、カード台紙１００から得られるカードは、バタフライ型のカードであり、例えば、国民健康保険被保険者証である。バタフライ型のカードは、一般的なカードを２枚分並べて中央で折り畳んで使用するタイプのカードであり、一般的なカードの２枚分の情報量を記載することができる点で有利である。
【００６２】
カード台紙１００は、図の上下方向に連続するいわゆる連続帳票用紙の２枚を１組とすることができる。カード台紙１００は、第１の面４ａの中央に、図の左右方向に延びる折曲げ部４０を挟んで図の上下に第１の部分１００ａと第２の部分１００ｂとを有する。
【００６３】
折曲げ部４０は、ミシン目によって形成される。
【００６４】
第１の部分１００ａには、カード本体１０及びその外周に枠部１２が形成され、第１切れ目３ａと第２切れ目３ｂとによってその外周縁が規定されている。
【００６５】
第２の部分１００ｂには、カード本体１０と略同じ大きさの剥離部１４が形成され、第３切れ目３ｃによってその外周縁が規定されている。剥離部１４には利用者の宛名を印刷することができる。
【００６６】
このように、比較的幅が広いバタフライ型のカードの場合には、カード台紙１００を連続帳票用紙の連続方向にカード本体１０と剥離部１４とを並べるように配置することで台紙のスペースを効率よく使用することができる。
【００６７】
なお、第１、第２の実施の形態のカード台紙１，１００では連続帳票用紙の例を説明したが、これに限らず、単票用紙であってもよい。
【００６８】
４．変形例
図９を用いて、第１、第２の実施の形態における折曲げ部４０の変形例として、筋押し部４０ａについて説明する。図９は、折曲げ部４０の変形例を説明するための一部拡大断面図である。
【００６９】
筋押し部４０ａは、第１、第２の実施の形態における折曲げ部４０と同様に、第１の部分１ａと第２の部分１ｂとの境界である。筋押し部４０ａは、第１の面４ａ側に形成された凹溝に形成される。筋押し部４０ａは、カード台紙を筋押し部４０ａに沿って容易かつ確実に折り曲げることができれば、その凹溝の深さや幅は適宜設定することができる。このような公知の筋押し部４０ａは、例えば、筋押し刃による筋押し加工によって形成することができる。
筋押し部４０ａは、筋押し加工とミシン目の加工を混合してもよく、筋押し加工を破線状に施したものでもよい。
【００７０】
本発明は上記実施の形態に限定されるものでなく、本発明の要旨を逸脱しない範囲内での種々、設計変更した形態を技術的範囲に含むものである。
【符号の説明】
【００７１】
１：カード台紙、１ａ：第１の部分、１ｂ：第２の部分、２：宛名表示欄、３ａ：第１切れ目、３ｂ：第２切れ目、３ｃ：第３切れ目、４ａ：第１の面、４ｂ：第２の面、５：カード、１０：カード本体、１２：枠部、１４：剥離部、２０：第１ラミネート部、２１：第１接着層、２２：第１フィルム、２３：第１擬似接着層、２４：第１表面基材、３０：第２ラミネート部、３１：第２接着層、３２：剥離層、３３：第３接着層、３４：第２フィルム、３５：第２擬似接着層、３６：第２表面基材、３７：凹部、４０折曲げ部、４０ａ：筋押し部、４２，４３：ミシン目、４４：送り孔、１００：カード台紙、１００ａ：第１の部分、１００ｂ：第２の部分
【図１】
0006389676.tif 000002
【図２】
0006389676.tif 000003
【図３】
0006389676.tif 000004
【図４】
0006389676.tif 000005
【図５】
0006389676.tif 000006
【図６】
0006389676.tif 000007
【図７】
0006389676.tif 000008
【図８】
0006389676.tif 000009
【図９】
0006389676.tif 000010